(57)【特許請求の範囲】
【請求項１】
器具本体と；
表示を含んだ四角い規定照明領域、及び前記表示以外の非表示領域の一部からなるとともに前記規定照明領域を囲む周部に分けられていて、前記器具本体に取付けられた光拡散性の表示板と；
この表示板の周縁部に重なるように配設されて前記規定照明領域及び周部が視認可能となるように前記器具本体に取付けられた押え枠と；
前記器具本体に内蔵された表示板照明用の光源と；
前記器具本体に内蔵されたバッテリーと；
遮光手段であるモニタケースに発光ダイオードからなる第１、第２のモニターランプを取付けて形成され、これらランプの光が出射される前記モニタケースの光照射面が前記表示板の周部裏面に対し隙間を設けて近接された状態に前記器具本体内に配置され、かつ、前記モニターランプの点灯状態が前記表示板を透過して外部から視認可能となるように前記表示板への前記モニターランプの照射野が前記押え枠で覆われないように外れている充電モニタと；
を具備したことを特徴とする非常用照明器具。
【請求項２】
前記モニターランプをその光軸が前記表示板と略直交するように配置したことを特徴とする請求項１に記載の非常用照明器具。
【請求項３】
前記隙間を規定する接近距離が１〜３ｍｍであることを特徴とする請求項１又は２に記載の非常用照明器具。
【請求項４】
前記光源が、前記光照射面よりも前記表示板の裏面から離れて前記表示板を裏面から照明するように前記器具本体に内蔵されていることを特徴とする請求項１から３のうちのいずれか一項に記載の非常用照明器具。
【請求項５】
前記第１、第２のモニターランプの発光色が異なっていることを特徴とする請求項１から４のうちのいずれか一項に記載の非常用照明器具。
【発明の詳細な説明】
【０００１】
【発明の属する技術分野】
本発明は、例えば空港構内や駅構内の壁や床などに埋め込み、直付け、あるいは吊下げる等により設置されて、非常口への誘導をなす誘導灯等として使用される非常用照明器具に係り、特に、この器具が非常時に確かに使用できるかどうかを確認するための充電モニタが器具本体に内蔵されている非常用照明器具に関する。
【０００２】
【従来の技術】
床等に埋め込み設置される埋め込み型誘導灯は、設置上の制約により器具本体の外部に充電モニタを設けることができない。そして、技術基準上は、前記埋め込み型誘導灯のように充電モニタが器具本体に内蔵された誘導灯では、そのメンテナンスの際に充電モニタを視認できればよいと規定されている。
【０００３】
そのため、従来のこの種誘導灯では、器具本体内の反射板の傾斜した部分に充電モニタが取付けられ、このモニタは出力１０ワット程度の直管型蛍光ランプで裏面から照明される表示板で覆われている。その結果として、器具本体に内蔵された充電モニタは、その光軸が光拡散性の表示板に斜めに交差する姿勢で配置されているので、このモニタと表示板との距離が比較的大きくなっているとともに、その照射野が表示板に付されている避難用表示に掛かり易い。しかも、前記蛍光ランプの照射野の一部に、充電モニタの状態を報知するモニターランプの照射野が重なっている。
【０００４】
そして、モニターランプに使用される発光ダイオードの指向性は高いが光強度はさほど大きくないことから、既述のように充電モニタとの距離が比較的大きく離れている表示板の裏面に入射する充電モニタの光強度は弱く、しかも、その光が蛍光ランプの強い照射光で打ち消され易いので、前記構成の従来の誘導灯では、器具本体の外部から光拡散性の表示板を通してモニターランプの光を視認することはできない。
【０００５】
従来の誘導灯では、そのメンテナンスなどにおいて、器具本体に対して表示板を取付け保持している押え枠を取外すとともに、その後に表示板等を取外して、器具本体の内部を露出させることにより、表示板に邪魔されることなく充電モニタを視認できる。
【０００６】
したがって、既設の前記誘導灯が非常時に確かに使用できるかどうかを、確認する際には、前記メンテナンスの場合と同じ手順で充電モニタを露出させなければならない。そのために、誘導灯の一部の分解・組立てを伴う必要であるので、前記確認作業は手間が多く面倒である。特に、床等に埋め込んで設置される誘導灯の構成は堅牢であり、その一部の分解・組立を容易に行うことは困難であるので、充電モニタを容易に確認できるようにすることが望まれている。
【０００７】
【発明が解決しようとする課題】
本発明が解決しようとする課題は、器具本体に内蔵されている充電モニタが有するモニターランプの点灯状態を容易に視認できるとともに、表示板の表示の視認性が低下することがない非常用照明器具を得ることにある。
【０００８】
【課題を解決するための手段】
前記課題を解決するために、請求項１の発明は、器具本体と；表示を含んだ四角い規定照明領域、及び前記表示以外の非表示領域の一部からなるとともに前記規定照明領域を囲む周部に分けられていて、前記器具本体に取付けられた光拡散性の表示板と；この表示板の周縁部に重なるように配設されて前記規定照明領域及び周部が視認可能となるように前記器具本体に取付けられた押え枠と；前記器具本体に内蔵された表示板照明用の光源と；前記器具本体に内蔵されたバッテリーと；遮光手段であるモニタケースに発光ダイオードからなる第１、第２のモニターランプを取付けて形成され、これらランプの光が出射される前記モニタケースの光照射面が前記表示板の周部裏面に対し隙間を設けて近接された状態に前記器具本体内に配置され、かつ、前記モニターランプの点灯状態が前記表示板を透過して外部から視認可能となるように前記表示板への前記モニターランプの照射野が前記押え枠で覆われないように外れている充電モニタと；を具備したことを特徴としている。
【０００９】
この発明及び以下の各発明は、建物の床や壁に埋め込み、直付け、あるいは吊下げる等により設置される誘導灯等の非常用照明器具に適用でき、器具本体が建物の床や壁に埋め込まれたり直付けされる場合には、この本体の一面に表示板を取付けて実施でき、又、器具本体が吊持パイプ等で吊り下げられる場合には、この本体の一面又は互いに平行な２面に表示板を取付けて実施できる。又、この発明及び以下の各発明において、表示板には乳白色のアクリル樹脂板を好適に使用できるとともに、光源には蛍光ランプ又は冷陰極蛍光ランプなどを使用できる。
又、この発明及び以下の各発明において、光源の光を表示板に向けて反射させる反射板を付設することは妨げないとともに、充電モニタに光源の点灯及びその寿命などを報知するための光源用のモニターランプを付設することも妨げない。また、この発明において、バッテリーの状態を報知するためのモニターランプが照射する光の色は、表示板の表示と同系色又は異色とすることができ、前記同系色の場合の照射野は、表示からはずれた位置であれば任意に定めて実施できる。
【００１０】
請求項１の発明においては、光源及びバッテリーとともに器具本体に内蔵された充電モニタのモニターランプは、バッテリーに対する充電が行われる照明器具への通電期間中は常に点灯して、このモニターランプによって表示板の一部分がその裏面から照らされる。そして、このモニターランプの点灯状態は表示板を透過して外部から視認可能に構成されているので、モニターランプなどを覆っている表示板を器具本体から取外すことなく、器具本体を組立て状態に維持したままで外部からモニターランプを視認して、バッテリーの状態を確認できる。
【００１２】
更に、請求項１の発明においては、モニターランプが表示板の非表示領域の一部を照らすので、この照射野と表示板の表示とが重なって干渉することがない。そのため、前記照射野で表示の視認性が低下することがないとともに、モニターランプから照射される光の色が避難用表示と同系色であっても、モニターランプの点灯状態を表示板を通して外部から容易に視認できる。
【００１４】
その上、請求項１の発明においては、モニターランプの照射野が表示板の表示を含んだ規定照明領域を囲む表示板の周部の一部に形成されるため、前記照射野で前記表示を含んだ規定照明領域の光学的性能を損なうことがなくなり、表示板が有する表示の視認性が低下することがない。加えて、光源からモニターランプの照射野に入射しようとする光が、表示板の裏面に近接配置されたモニタケースで遮られるので、照射野に光源が発する光が入射して、これらの照射野が見えづらくなることを防止できる。
【００１５】
請求項２の発明は、請求項１に記載のモニターランプをその光軸が前記表示板と略直交するように配置したことを特徴としている。
【００１６】
この発明においては、発光ダイオード製のモニターランプから照射される指向性の強い光が表示板の裏面で反射されることが少ないとともに、このランプと表示板との距離が近くなるので、表示板に対する前記光の透過性能を向上できる。
【００１７】
請求項３の発明は、請求項１又は２に記載の隙間を規定する接近距離が１〜３ｍｍであることを特徴としている。
この発明においては、充電モニタと表示板との干渉を回避して、充電モニタ光の良好な視認性を得ることができる。
請求項１から３のうちのいずれか一項の発明では、請求項４の発明のように前記光源を、前記光照射面よりも前記表示板の裏面から離れて前記表示板を裏面から照明するように前記器具本体に内蔵するとよい。又、請求項１から４のうちのいずれか一項の発明では、請求項５の発明のように前記第１、第２のモニターランプの発光色を異ならせるとよい。
【００１９】
【発明の実施の形態】
以下、図１〜図５を参照して本発明の一実施形態を説明する。
【００２０】
本実施形態に係る非常用照明器具は床埋め込み型の誘導灯１として用いられ、この誘導灯１は、図２及び図５等に示すように器具本体２、光源３、点灯装置４、バッテリー５、反射板６、充電モニタ７、表示板８、透明保護板９、及び押え枠１０などを備えて形成されている。
【００２１】
図５に示すように器具本体２は、外箱１１、内箱１２、及び枠受け１３を備えている。直方体状をなす外箱１１の一面例えば上面は開口され、この開口の縁は外に向けて張り出す環状のフランジ１１ａを形成している。この外箱１１と同様に上面が開口された内箱１２の縦横寸法及び高さ寸法はいずれも外箱１１の対応寸法より小さく、この内箱１２は外箱１１内に収容固定されている。内箱１２の底板１２ａは上げ底になっており、又、内箱１２の開口縁部の内周面には環状の支持フランジ１２ｂが取付けられている。なお、内箱１２の内面は無塗装である。枠受け１３は例えば長四角形の枠に形成されている。この枠受け１３はその高さ方向の一端部を外箱１１の底板に固定して外箱１１と内箱１２との間に収容されている。枠受け１３の高さ方向の他端部には複数のねじ受け部１３ａが設けられている。これらのねじ受け部１３ａは、本実施形態の場合、枠受け１３の上面にねじ孔付きの金具を溶接止めして形成されている。
【００２２】
内箱１２には、光源３、点灯装置４、バッテリー５、反射板６、及び充電モニタ７が内蔵されている。
【００２３】
すなわち、内箱１２の底板１２ａ上には取付け台１５がねじ止めされ、この台１５上に点灯装置４が取付けられている。この点灯装置４は、光源３を点灯させるための点灯回路部、及びバッテリー５に充電するための充電回路部を有している。又、底板１２ａにはその幅方向中央に位置して図２に示すように例えば２対のランプホルダ１６が取付けられている。各対のランプホルダ１６によって例えば２本の光源３が支持されている。したがって、これら２本の光源３は内箱１２の幅方向中央において内箱１２の長手方向に延びるように並べて内蔵されている。これらの光源３は点灯装置４よりも内箱１２の開口側に配置されている。
【００２４】
各光源３には管径（外径）が好ましくは４mm以下の冷陰極蛍光ランプが使用されている。このランプは、石英又は硬質或は軟質ガラス製の直管状バルブの内面に、蛍光体被膜を設けるとともに、このバルブ内には所定量の水銀と、少なくとも一種の希ガスとを封入し、かつ、バルブ内の両端部に夫々設けられたニッケル等からなる冷陰極にリード線を接続し、これらリード線をバルブの端面から夫々気密に引き出して形成されている。リード線は前記点灯装置４に電気的に接続される。なお、図５中符号１７は、光源３と対向して配置された白色系の反射シートを示している。光源３に冷陰極蛍光ランプを使用することは、その消費電力が少ないことから誘導灯１のランニングコストを低減でき、しかも、耐久性に優れることから所定の耐用期間中は光源３についてのメンテナンスを実質的に要しない点で優れている。
【００２５】
図５に示すように内箱１２の長手方向に延びる一側壁の内面と底板１２ａの内面とにわたってバッテリーホルダ１８がねじ止めされている。このホルダ１８と内箱１２の内面とで作られる空間部には、光源３の非常用電源として用いられるバッテリー５が出し入れ可能に収容保持されている。このバッテリー５は定期的に数年に一度交換される。
【００２６】
図２〜図５に示されるように反射板６は、反射板本体２１及び孔縁カバー２２とを備えており、この反射板６の大きさは内箱１２の開口よりわずかに小さい。
反射板本体２１は、幅方向両端部をなす係合縁部２１ａと、これらと平行な中央平板部２１ｂと、この平板部２１ｂと係合縁部２１ａとを一体につないだ斜状板部２１ｃとで形成されている。中央平板部２１ｂの中央部には長手方向に延びる長孔２３が開けられていて、その両側の孔縁は孔縁カバー２２で覆われている。
孔縁カバー２２は、透明もしくは、反射板本体２１の反射面と略同色の合成樹脂シートで形成されて、前記孔縁に接着されている。図３及び図４に示すように反射板６にはモニタ通し部例えば切欠き２４が反射板６の長手方向一端部において相連続する一方の係合縁部２１ａと斜状板部２１ｃとにわたり形成されている。
【００２７】
この反射板６は、その係合縁部２１ａを前記支持フランジ１２ｂに、内箱１２の開口側から引掛けることにより図２及び図５に示すように内箱１２に収容されている。この収容に伴い、長孔２３には一対の光源３及びこれらを支持しているランプホルダ１６が通されて、両光源３は反射板６の内側に配置され、又、長孔２３には反射板６の裏側から前記反射シート１７が対向する。
【００２８】
表示板８は光拡散性材料例えば乳白色のアクリル樹脂板で形成されていて、その大きさは内箱１２の開口よりわずかに小さい。この表示板８は、その四辺を前記支持フランジ１２ｂに、内箱１２の開口側から引掛かるように被せることにより、図５に示すように反射板６を覆うとともに内箱１２の開口を塞いで取付けられている。
【００２９】
表示板８はその表面に例えば避難口等を示す表示８ａを有している。表示８ａは例えば緑色の透光性塗料を印刷することで設けられており、この表示８ａ以外の地の部分はすべて非表示領域８ｂとなっている。図１（Ｂ）及び図２に示すように表示板８は、規定照明領域８ｃと、この領域８ｃを囲む周部８ｂｓとに分けられている。規定照明領域８ｃは、同図中２点鎖線の内側を占める表示８ａとその周囲の非表示領域８ｂを含んで形成される領域であって、表示板８の殆どを占める主要部分である。前記周部８ｂｓは非表示領域８ｂの一部である。
【００３０】
この表示板８に光透過率が高いものを使用すると、後述のモニターランプ光の視認性をより向上できる点で好ましい。そのために、表示８ａと地の色との調合を変えて、地の色である白色系の光拡散性を低下させて透明度を高くした表示板８が用いられている。
【００３１】
内箱１２に内蔵された前記充電モニタ７は、好ましい例として箱形状モニタケース２５に第１、第２のモニターランプ２６、２７を取付けたユニットで形成されている。このモニタ７は、内箱１２の長手方向一端部に前記切欠き２４と対応して前記底板１２ａにねじ止めしたモニタ支持板２８に取付けられている。この充電モニタ７は、切欠き２４を通るとともに、その光照射面（図５では上面）が表示板８の裏面に接近して配置されている。この接近距離Ａは、表示板８との干渉を回避して充電モニタ光の良好な視認性を得るために、１〜３ｍｍ程度とするとよい。この状態で前記光照射面は誘導灯１の外部から視認可能な周部８ｂｓの一部にその裏面から対向している。
【００３２】
光源３の状態を報知する第１のモニターランプ２６には、赤色系の光を発する発光ダイオードが使用されている。このランプ２６は、光源３の点灯時には連続点灯し、かつ、光源３が寿命末期に達した時には断続的に点灯する。前記バッテリー５が充電状態にあることを連続点灯によって報知する第２のモニターランプ２７には、前記表示８ａと略同色の緑色系の光を発する発光ダイオードが使用されている。
【００３３】
モニターランプ２６、２７は、それらから投射されるモニターランプ光の光軸２６ａ、２７ａ（図５参照）が表示板８の裏面に略直交（直角及び取付け上の誤差範囲は当然に含む）するようにモニタケース２５に取付けられている。しかも、既述のようにモニタケース２５の光照射面を表示板８の裏面に接近させたので、両ランプ２６、２７の照射野（図５中において理解をより容易にするために表示板８の裏面に太線を付して示した部分であり、符号２６ｂ、２７ｂで示す。）に、図５に点線矢印で示す光源３から入射しようとする光線が極力入射されないようになっている。言い換えれば、前記照射野２６ｂ、２７ｂへの前記入射しようとする光線の入射をモニタケース２５及びモニタ支持板２８で遮ることができるように、モニタケース２５が表示板８の裏面に接近配置され、かつ、モニタケース２５の大きさが定められている。
【００３４】
前記透明保護板９にはガラス板好ましくは強化ガラスが使用されている。図２及び図５に示すように透明保護板９は、表示板８と略同じ大きさであって、その周部に段差９ａを有している。段差９ａ上には環状に形成されたゴム製の防水パッキン３１が取付けられている。この透明保護板９は表示板８上に積層して配置されている。
【００３５】
前記押え枠１０は、ステンレス鋼製であって、その外周部を前記フランジ１１ａと面一に連続させるとともに、内周部を前記段差９ａに重ねて防水パッキン３１を挟んで配置されている。そして、押え枠１０は、これを貫通して前記枠受け１３のねじ受け部１３ａに夫々螺合される複数本の取外し可能なねじ３２により器具本体２に取付けられている。こうして取付けられた押え枠１０は、外箱１１と内箱１２との間の四角環状の開口を閉じている。前記第１、第２のモニターランプ２６、２７の照射野２６ｂ、２７ｂは、押え枠１０の内周部で覆われないように外れていて、それにより、誘導灯１の外部から照射野２６ｂ、２７ｂに入射したモニターランプ光を視認できるように構成されている。
【００３６】
前記構成の誘導灯１は、その透明保護板９の表面が駅構内などの床面と略面一の高さとなるように床に埋め込んで使用される。その光源３は常時連続点灯されるから、光源３からの直射光及び反射板６ならびに反射シート１７で反射された光によって、表示板８がその裏面から照明され、この板８の表示８ａを照らすことができる。又、この誘導灯１はそれに通電されている限り、その点灯装置４を介してバッテリー５への充電が行われているので、このバッテリー５によって光源３への電源供給を停電等の非常時にも継続して、光源３の点灯を維持できる。
【００３７】
バッテリー５が充電状態にある時、及び光源３が点灯している時には、充電モニタ７の第１、第２のモニターランプ２６、２７が連続点灯を維持する。又、光源３が寿命末期に至った場合には、第１のモニターランプ２６が断続的に点灯、つまり点滅動作をする。
【００３８】
前記充電モニタ７は器具本体２に内蔵されているにも拘わらず、既述のように表示板８の光透過率を高くしたことに加えて、第１、第２のモニターランプ２６、２７を表示板８の裏面に極力接近させたことなどにより、これらモニターランプ２６、２７の表示板８への照射野２６ｂ、２７ｂを、透明保護板９及び表示板８を透過して視認できる。
【００３９】
この場合、両モニターランプ２６、２７の光軸２６ａ、２７ａが表示板８の板面と略直交しているから、発光ダイオード製のモニターランプ２６、２７から照射される指向性の強いモニターランプ光が表示板８の裏面で反射されることが少ない。しかも、同じ高さ位置で両モニターランプ２６、２７を傾けた場合と比較して、これらランプ２６、２７の光出射端と表示板８の裏面との距離を近くできる。そのため、表示板８に対するモニターランプ光の透過性能を向上できる。更に、光源３からモニターランプ２６、２７の照射野２６ｂ、２７ｂに入射しようとする光が、遮光手段、つまり、表示板８の裏面に近接配置された充電モニタ７のモニタケース２５及びモニタ支持板２８の少なくとも一方で遮られるので、照射野２６ｂ、２７ｂに光源３が発する強い光が入射して、これらの照射野２６ｂ、２７ｂが見えづらくなることを防止できる。
【００４０】
これらの理由により、誘導灯１の外部からの両モニターランプ２６、２７の点灯状態の視認性を向上できる。そして、このように器具本体２に内蔵された充電モニタ７のモニターランプ２６、２７の点灯状態を誘導灯１の外部から視認可能であるので、光源３を交換する場合のように押え枠１０、透明保護板９、及び表示板８等を一々取外して分解する手間を要することなく、この誘導灯１が非常時に確かに使用できるかどうかの定期的な確認を容易に行うことができ、当然に、前記確認後において分解したものを再び組立てる手間も要しない。したがって、実用上の効果が大きい。しかも、以上のように充電モニタ７を外部から視認できることにより、誘導灯１の異常などを早期に発見できることに伴い、メンテナンス性も向上できる。
【００４１】
更に、第１、第２のモニターランプ２６、２７の照射野２６ｂ、２７ｂが、表示板８における表示８ａが付された領域から外れた非表示領域８ｂに位置しているから、この照射野２６ｂ、２７ｂと表示８ａとが重なって干渉し、照射野２６ｂ、２７ｂが表示８ａの視認性を低下させることがない。しかも、表示８ａと第２のモニターランプ２７の照射野２７ｂは同系色であるにも拘わらず、表示８ａによって照射野２７ｂの視認性が損なわれることもない。又、前記照射野２６ｂ、２７ｂは、表示８ａを含んだ規定照明領域８ｃを囲む表示板８の周部８ｂｓの一部を設定されているため、照射野２６ｂ、２７ｂが規定照明領域８ｃの光学的性能を損なうことがなく、したがって、表示８ａの視認性を低下させることがない。
【００４２】
【発明の効果】
本発明は、以上説明したような形態で実施され、以下に記載されるような効果を奏する。
【００４３】
請求項１の発明によれば、器具本体に内蔵されているバッテリーやそのモニターランプなどを覆っている表示板を器具本体から取外すことなく、モニターランプの点灯状態を表示板を通して外部から視認して、バッテリーの状態を確認できるので、器具本体の一部の分解・組立ての手間を要することなく、容易に前記確認が可能である。
【００４４】
更に、請求項１の発明によれば、モニターランプの照射野と表示板の表示とが干渉しないので、前記表示の視認性を低下させることがないとともに、モニターランプの点灯状態を表示板を通して外部から容易に視認できる。
【００４５】
その上、請求項１の発明によれば、モニターランプの照射野が表示板の表示を含んだ規定照明領域の光学的性能を損なうことがないので、前記表示の視認性を低下させることがない。加えて、請求項１の発明によれば、光源が発する光によってモニターランプの照射野が見えづらくなることを防止されるので、器具本体の外部からのモニターランプの点灯状態の視認性を向上できる。
【００４６】
請求項２の発明によれば、モニターランプから照射される光の表示板に対する透過性能を向上したので、器具本体の外部からのモニターランプの点灯状態の視認性を向上できる。
請求項３の発明によれば、充電モニタと表示板との干渉を回避して、充電モニタ光の良好な視認性を得ることができる。
【図面の簡単な説明】
【図１】（Ａ）及び（Ｂ）は本発明の一実施形態に係る床埋め込み型誘導灯を示す斜視図及び平面図。
【図２】図１の誘導灯を分解して示す斜視図。
【図３】図１の誘導灯の一端部を、押え枠、透明保護板、及び表示板を取除いた状態で示す平面図。
【図４】図１の誘導灯が備える反射板を示す平面図。
【図５】組立てられた図１の誘導灯を図３中Ｚ−Ｚ線に沿う位置で示す断面図。
【符号の説明】
１…誘導灯（非常用照明器具）
２…器具本体
３…光源
４…点灯装置
５…バッテリー
６…反射板
７…充電モニタ
８…表示板
８ａ…表示
８ｂ…非表示領域
８ｃ…規定照明領域
８ｂｓ…表示板の周部
９…透明保護板
１０…押え枠
２４…切欠き（モニタ通し部）
２５…モニタケース
２６、２７…モニターランプ
２６ａ、２７ａ…光軸
２６ｂ、２７ｂ…照射野
Ａ…接近距離
【図１】
0004561002.tif 000002
【図２】
0004561002.tif 000003
【図３】
0004561002.tif 000004
【図４】
0004561002.tif 000005
【図５】
0004561002.tif 000006